(57)【要約】【課題】  蓋体を、複数のキー部材を使い分けることなく、一連の操作のみで着脱可能で、一般的治工具による不正な開蓋を防止することができる蓋体着脱工具を提供すること。【解決手段】  蓋体を本体の開口部へ螺着脱するための蓋体着脱工具１ａであって、前記蓋体は円筒孔を有し、前記蓋体着脱工具１ａは、前記円筒孔へ挿脱可能な筐体１０と、前記筐体１０内部に、カム機構的に対偶する従節体２０ａとカム体３０ａを有し、カム体３０ａを進退させると従節体２０ａの一部が前記筐体１０の外周面から突出して蓋体と回転方向に係合するため、蓋体と筐体１０が一体的に正逆回転する。前記カム体３０ａは、前記筐体１０の外部から操作可能であり、前記従節体２０ａは、弾性体２２ａにより前記筐体１０の内部方向へ付勢されている。また、前記筐体１０を正逆回転させる際に回転トルクをかけるための、ハンドル１３を具備する。【選択図】    図１
2005226289.tif 000002
【特許請求の範囲】
【請求項１】
蓋体を本体の開口部へ螺着脱するための蓋体着脱工具であって、前記蓋体は円筒孔を有し、前記蓋体着脱工具は、前記円筒孔へ挿脱可能な筐体と、前記筐体内部に、カム機構的に対偶する従節体とカム体を有し、カム体を進退させると従節体の一部が前記筐体の外周面から突出して蓋体と回転方向に係合するため、蓋体と筐体が一体的に正逆回転することを特徴とする蓋体着脱工具。
【請求項２】
前記カム体が、前記筐体の外部から操作可能であることを特徴とする請求項１記載の蓋体着脱工具。
【請求項３】
前記従節体が、弾性体により前記筐体の内部方向へ付勢されていることを特徴とする請求項１又は２記載の蓋体着脱工具。
【請求項４】
前記筐体を正逆回転させる際に回転トルクをかけるための、ハンドルを具備することを特徴とする請求項１乃至３のいずれかに記載の蓋体着脱工具。
【発明の詳細な説明】
【技術分野】
【０００１】
本発明は、蓋体を本体の開口部に着脱するための蓋体着脱工具に関するものである。
【背景技術】
【０００２】
本体の開口部への蓋体の着脱について、防犯上や安全上の理由、或いは本体の内部構造の秘密保持上の理由などで、専用工具でのみ蓋体を外すことが可能で、一般の治工具により簡単に蓋体が外されないようにすることが望まれている。
【０００３】
そのため、蓋体に専用工具を用いなければ解除できないロック部材を具備させた装置が知られている（例えば、特許文献１。）。この装置は、マンホール蓋類に、専用工具とのみ係合可能な係合部を有する塞栓とロック部材を具備させ、前記専用工具を用いてのみ塞栓およびロック部材を開栓、解除可能とすることにより、不正な開蓋を防止するものである。
【０００４】
このような装置は、蓋体にロック部材を複数個具備させる必要があり、さらに前記装置により蓋体を開蓋するためには、専用工具のキー部材を用いて塞栓を外し、次に専用工具の他のキー部材を用いてロック部材を開錠した後、専用工具のさらに別のキー部材で蓋を開けるといった複数のキー部材による複数段階の操作を必要とする。
【０００５】
しかしながら、蓋体毎に複数個のロック部材を具備させることや、蓋体の着脱に複数のキー部材を用いた複数段階の操作を必要とすることは、製造コスト面のみならず、作業効率等で、使用者にとって大きな負担となる。
【特許文献１】特開２０００−１８６３３４
【発明の開示】
【発明が解決しようとする課題】
【０００６】
そこで、この発明では、蓋体を、複数のキー部材を使い分けることなく、一連の操作のみで着脱可能で、一般的治工具による不正な開蓋を防止することができる蓋体着脱工具を提供することを課題とする。
【課題を解決するための手段】
【０００７】
（請求項１記載の発明）
この発明の蓋体着脱工具は、蓋体を本体の開口部へ螺着脱するための蓋体着脱工具であって、前記蓋体は円筒孔を有し、前記蓋体着脱工具は、前記円筒孔へ挿脱可能な筐体と、前記筐体内部に、カム機構的に対偶する従節体とカム体を有し、カム体を進退させると従節体の一部が前記筐体の外周面から突出して蓋体と回転方向に係合するため、蓋体と筐体が一体的に正逆回転することを特徴とする。
【０００８】
（請求項２記載の発明）
この発明の蓋体着脱工具は、請求項１記載の発明に関し、前記カム体が、前記筐体の外部から操作可能であることを特徴とする。
【０００９】
（請求項３記載の発明）
この発明の蓋体着脱工具は、請求項１又は２記載の発明に関し、前記従節体が、弾性体により前記筐体の内部方向へ付勢されていることを特徴とする。
【００１０】
（請求項４記載の発明）
この発明の蓋体着脱工具は、請求項１乃至３のいずれかに記載の発明に関し、前記筐体を正逆回転させる際に回転トルクをかけるための、ハンドルを具備することを特徴とする。
【発明の効果】
【００１１】
本発明は、下記のような構成であるから次の効果を有する。
【００１２】
発明を実施するための最良の形態の欄に記載した内容から、蓋体を、複数のキー部材を使い分けることなく、一連の操作のみで着脱可能で、本発明の蓋体着脱工具以外の一般的治工具による不正な開蓋を防止することができる蓋体着脱工具を提供できた。
【発明を実施するための最良の形態】
【００１３】
この発明の最良の実施形態の蓋体着脱工具を図面に従って説明する。
【実施例１】
【００１４】
図１は、本発明の実施例１の蓋体着脱工具で、従節体が筐体の外周面から突出していない状態を示す斜視図である。図２は、本発明の実施例１の蓋体着脱工具で、従節体の一部が筐体の外周面から突出している状態を示す斜視図である。図３は、図１に示した蓋体着脱工具の側面図である。図４は、図２に示した蓋体着脱工具の側面図である。図５は、本発明の実施例の蓋体着脱工具により着脱する蓋体と、蓋体が着脱される本体開口部を示した斜視図である。図６は、本発明の実施例１の蓋体着脱工具を蓋体の円筒孔へ挿入した状態で、挿入端側からみた図である。図７は、本発明の実施例１の蓋体着脱工具を蓋体の円筒孔へ挿入し、従節体の一部と蓋体を回転方向に係合させた状態で、挿入端側からみた図である。
【００１５】
この蓋体着脱工具１ａは、図１から図４に示されるように、円柱形状の筐体１０と、筐体１０内部にカム機構的に対偶する設けた従節体２０ａと棒状のカム体３０ａにより構成される。図３、４に示すように、前記従節体２０ａの一端は突起部２１を形成し、他端は軸２３により筐体１０の内部に搖動可能に軸着されており、前記カム体３０ａは進退自在である。ここで、前記カム体３０ａが、外部から操作可能とするために、筐体１０に窓部１２を設けて、カム体３０ａの一端が外部へ突出するようにしてもよい。この場合、カム体３０ａが筐体１０の外部へ出ている部分に前記窓部１２を通過できない大きさの鍔片３１を設けると、カム体３０ａが筐体１０の内部へ挿入される深さを限定することができる。前記筐体１０は、上部に開口部１１を有し、カム体３０ａを筐体１０の内部方向へ動かすと、従節体２０ａの突起部２１は、前記開口部１１を通じて前記筐体１０の外周面から突出する。前記従節体２０ａを、ラバーリングなどの弾性体２２ａにより筐体１０の内部方向へ付勢して、カム体３０ａを筐体１０の外部方向へ動かすと、筐体１０の外周面から突出していた前記突起部２１が、筐体１０内部へ没入するようにしてもよい。
【００１６】
前記蓋体着脱工具１ａにより、本体５の開口部５０に着脱される蓋体４は、図５に示すようにヘッド部４０と、貫通する円筒孔４１を有し、円筒孔４１の内壁には切欠部４２が設けてある。前記蓋体４の外周にはねじ山４３が設けてあり、開口部５０の内壁に掘られたねじ溝５１と着脱自在に螺合可能である。前記円筒孔４１の内径は、前記筐体１０の外径よりやや広いため、前記筐体１０は、前記円筒孔４１内に挿脱可能である。
【００１７】
前記蓋体着脱工具１ａは、図１、３に示すように、カム体３０ａが筐体１０の外部方向へ引かれた状態、つまり従節体２０ａの突起部２１が筐体１０外周面から突出していない状態で、筐体１０の一部を前記蓋体４の円筒孔４１へ挿入する。ここで、筐体１０の一部が円筒孔４１へ挿入される深さを限定するために、筐体１０の外周面に鍔輪１４を設けてもよい。この場合、鍔輪１４は、筐体１０に摺動自在であることが好ましく、前記鍔輪１４を摺動させて、所望の位置にねじ１５などで固定するとよい。前記鍔輪１４により許容される最大限まで筐体１０を円筒孔４１へ挿入したときの突起部２１と切欠部４２の状態を図６に示す。この状態で、カム体３０ａを筐体１０内部方向へ挿入して、図７に示すように、前記突起部２１を筐体１０の外周面から突出させ、前記円筒孔４１に設けた切欠部４２と回転方向に係合させる。従節体２０ａの突起部２１と切欠部４２を係合させた状態で筐体１０を正逆回転させると、前記蓋体４は筐体１０と一体的に正逆回転する。このように、蓋体着脱工具１ａを用い一連の操作により、蓋体４を一体的に正逆回転させることによって、蓋体４を前記開口部５０に螺着脱することができる。ここで、筐体１０に、筐体１０の正逆回転操作の際に、回転トルクをかけて操作をより容易にするための、ハンドル１３を設けてもよい。
【００１８】
尚、蓋体４のヘッド部４０は、端部に向かって徐々に縮径するテーパー加工がされており、引っかかりは一切ないため、ドライバーやレンチといった一般的な治工具を用いて蓋体を外すことは困難である。
【実施例２】
【００１９】
図８は、本発明の実施例２の蓋体着脱工具で、従節体が筐体の外周面から突出していない状態を示す側面図である。図９は、本発明の実施例２の蓋体着脱工具で、従節体の一部が筐体の外周面から突出している状態を示す側面図である。
【００２０】
実施例１の蓋体着脱工具と同じ構造の部材については、実施例１と同符号を用いることによりその詳細な説明を省略する。
【００２１】
この蓋体着脱工具１ｂは、図８、９に示されるように、筐体１０と、筐体１０内部にカム機構的に対偶する従節体２０ｂとカム体３０ｂにより構成される。前記カム体３０ｂは、筐体１０内部側の先端が細くなっており、先端部から徐々に隆起して形成される隆起部３２を有し、カム体３０ｂは進退自在で、従節体２０ｂは、カム体３０ｂの動きと連動して上下自在に動く。ここで、前記カム体３０ａが、外部から操作可能とするために、筐体１０に窓部１２を設けて、カム体３０ａの一端が外部へ突出するようにしてもよい。この場合、カム体３０ａが筐体１０の外部へ出ている部分に前記窓部１２を通過できない大きさの鍔片３１を設けると、カム体３０ａが筐体１０の内部へ挿入される深さを限定することができる。前記筐体１０は、実施例１と同様に、上部に開口部１１を有し、カム体３０ｂを筐体１０の内部方向へ動かすと、従節体２０ｂの一部は前記開口部１１を通じて前記筐体１０の外周面から突出する。前記従節体２０ｂを、バネなどの弾性体２２ｂにより、筐体１０の内部方向へ付勢して、カム体３０ｂを筐体１０の外部方向へ動かすと、筐体１０の外周面から突出していた前記従節体２０ｂが、筐体１０内部へ没入するようにしてもよい。
【００２２】
前記蓋体着脱工具１ｂにより、以下の操作により、前述した蓋体４を本体５の開口部５０に着脱することができる。
【００２３】
前記蓋体着脱工具１ｂを、図８に示すように、カム体３０ｂを筐体１０の外部方向へ引いた状態、つまり従節体２０ｂが筐体１０外周面から突出していない状態で、筐体１０の一部を蓋体４の円筒孔４１へ挿入する。ここで、実施例１と同様に、筐体１０の外周面に、摺動自在の鍔輪１４が、ねじ１５などで固定してあるとよい。その後、カム体３０ｂを筐体１０内部方向へ挿入して、従節体２０ｂの一部を筐体１０の外周面から突出させ、前記蓋体４の切欠部４２と回転方向に係合させる。従節体２０ｂの一部と切欠部４２を係合させた状態で筐体１０を正逆回転させると、前記蓋体４は筐体１０と一体的に正逆回転する。このように、蓋体着脱工具１ｂを用い一連の操作により、蓋体４を正逆回転させることによって、蓋体４を前記開口部５０に螺着脱することができる。ここで、実施例１と同様に、筐体１０にハンドル１３を設けてもよい。
【００２４】
上述したような構成により、本発明の蓋体着脱工具は、一般の治工具では外すことが困難な蓋体を、複数のキー部材を使い分けることなく、一連の操作により容易に着脱することができる。
【００２５】
また、本発明の蓋体着脱工具により、着脱する蓋体には、ロック部材等を別途取り付けてある必要がない。
【００２６】
本発明の蓋体着脱工具の従節体及びカム体は、カム機構的な対偶であり、カム体の動きと連動して、従節体の一部が筐体外周面から突出したり、没入したりする構造であれば、上述した形状に限定されない。
【００２７】
また、上述したように、カム体が筐体内部へ挿入される深さを制限するための鍔片を設けることが好ましいが、あるいは、従節体の一部が筐体から突出した状態のときに、カム体の先端が筐体の内壁端面に当たって、それ以上カム体が筐体内部へ挿入されないようにしてもよいし、または、カム体が筐体から外部へ出ている部分が、前記筐体に設けた窓部を通過しない太さにしてもよい。
【００２８】
本発明の蓋体着脱工具は、前記従節体を筐体内部方向へ付勢するために、弾性体を具備することが好ましく、例えば、上述したようにラバーリングやバネを用いることができるが、これらに限定されない。
【００２９】
本発明の蓋体着脱工具の筐体は、蓋体に形成された円筒孔に挿脱可能な形状であり、さらに筐体を円筒孔に挿入したときに、筐体が中心軸をあまり動かすことなく正逆回転することができる形状であればよい。このような形状としては、例えば上述したような断面が円形である形状が考えられるが、これらに限定されない。
【００３０】
本発明の蓋体着脱工具により着脱される蓋体の形状は、筐体を挿脱することができる円筒孔を有し、蓋体のヘッド部が一般工具による開蓋を防止するために、一切引っかかりを有さない形状であれば、特に限定されない。また、前記円筒孔は貫通していても、していなくてもよい。
【００３１】
本発明の蓋体着脱工具の従節体の一部と回転方向に係合するための手段として、好ましくは蓋体の円筒孔内壁に切欠部が設けてあるとよいが、同様の作用をするものであれば限定されず、例えば溝部や凹部が設けてあってもよい。
【図面の簡単な説明】
【００３２】
【図１】本発明の実施例１の蓋体着脱工具で、従節体が筐体の外周面から突出していない状態を示す斜視図
【図２】本発明の実施例１の蓋体着脱工具で、従節体の一部が筐体の外周面から突出している状態を示す斜視図
【図３】図１に示した蓋体着脱工具の側面図
【図４】図２に示した蓋体着脱工具の側面図
【図５】本発明の実施例の蓋体着脱工具により着脱する蓋体と、蓋体が着脱される本体開口部を示した斜視図
【図６】本発明の実施例１の蓋体着脱工具を蓋体の円筒孔へ挿入した状態で、挿入端側からみた図
【図７】本発明の実施例１の蓋体着脱工具を蓋体の円筒孔へ挿入し、従節体の一部と蓋体を回転方向に係合させた状態で、挿入端側からみた図
【図８】本発明の実施例２の蓋体着脱工具で、従節体が筐体の外周面から突出していない状態を示す側面図
【図９】本発明の実施例２の蓋体着脱工具で、従節体の一部が筐体の外周面から突出している状態を示す側面図
【符号の説明】
【００３３】
１ａ   蓋体着脱工具
１ｂ   蓋体着脱工具
４     蓋体
５     本体
１０   筐体
１１   開口部
１２   窓部
１３   ハンドル
１４   鍔輪
１５   ねじ
２０ａ 従節体
２０ｂ 従節体
２１   突起部
２２ａ 弾性体
２２ｂ 弾性体
２３   軸
３０ａ カム体
３０ｂ カム体
３１   鍔片
３２   隆起部
４０   ヘッド部
４１   円筒孔
４２   切欠部
４３   ねじ山
５０   開口部
５１   ねじ溝
【図１】
2005226289.tif 000003
【図２】
2005226289.tif 000004
【図３】
2005226289.tif 000005
【図４】
2005226289.tif 000006
【図５】
2005226289.tif 000007
【図６】
2005226289.tif 000008
【図７】
2005226289.tif 000009
【図８】
2005226289.tif 000010
【図９】
2005226289.tif 000011